(57)【要約】      （修正有）【課題】墓地に出かける必要なく、また、高齢者であっても、室内において故人や祖先の位牌礼拝、墓参り等の供養を簡略に行うことができ、また、部屋の壁面に設けた収納部に体裁よく収納できる供養家具を提供する。【解決手段】供養家具は、筺体２の上部に仏壇部１２を下部に仏具収納部１３を配置した直方体状の仏壇家具部１１と、筺体２の上部に墓石部を配置し下部に納骨部を配置した直方体状の墓・納骨家具部とを表裏一体構成とし、仏壇家具部１１、墓・納骨家具部の底部側にストッパー付キャスター３２を備える移送手段３１を備え、移送手段３１を利用した仏壇家具部１１、墓・納骨家具部全体の壁面に設けた収納部に対する移動・反転によって、仏壇部１２又は墓石部のいずれかを正面に表出可能としたものである。【選択図】図２
0003154558.tif 000002
【実用新案登録請求の範囲】
【請求項１】
上部に仏壇部を配置し下部に仏具収納部を配置した仏壇家具部と、上部に墓石部を配置し下部に納骨部を配置した墓・納骨家具部とを表裏一体構成とするとともに、前記仏壇家具部、墓・納骨家具部の底部側に移送手段を備え、
前記移送手段を利用した前記仏壇家具部、墓・納骨家具部全体の壁面に設けた収納部に対する移動・反転によって、前記仏壇部又は前記墓石部のいずれかが正面に表出可能に構成したことを特徴とする供養家具。
【請求項２】
筺体を家具調とし、上部に仏壇部を配置し下部に仏具収納部を配置した直方体状の仏壇家具部と、上部に墓石部を配置し下部に納骨部を配置した直方体状の墓・納骨家具部とを表裏一体構成とするとともに、前記仏壇家具部、墓・納骨家具部の底部側にストッパー付キャスターを備える移送手段を備え、
前記移送手段を利用した前記仏壇家具部、墓・納骨家具部全体の壁面に設けた収納部に対する移動・反転によって、前記仏壇部又は前記墓石部のいずれかが正面に表出可能に構成したことを特徴とする供養家具。
【請求項３】
上部に仏壇部を配置し下部に仏具収納部を配置した仏壇家具部と、上部に墓石部を配置し下部に納骨部を配置した墓・納骨家具部とを、仏壇家具部の正面側が表出し、墓・納骨家具部の正面側が仏壇家具部の背面側に対向するように前後配置として壁面に設けた収納部に収納し、
前記前側の仏壇家具部を収納部から引き出すことにより、後側の墓・納骨家具部の正面側を表出させるようにしたことを特徴とする供養家具。
【請求項４】
筺体を家具調とし、上部に仏壇部を配置し下部に仏具収納部を配置し、底部側にストッパー付キャスターを備える移送手段を備えた仏壇家具部と、筺体を家具調とし上部に墓石部を配置し下部に納骨部を配置した墓・納骨家具部とを、前記仏壇家具部の正面側が表出し、墓・納骨家具部の正面側が仏壇家具部の背面側に対向するように前後配置として壁面に設けた収納部に収納し、
前記前側の仏壇家具部を、移送手段を利用して収納部から引き出すことにより、後側の墓・納骨家具部の正面側を表出させるようにしたことを特徴とする供養家具。
【請求項５】
筺体を家具調とし、上部に仏壇部を配置し下部に仏具収納部を上下分割可能に配置し、底部側にストッパー付キャスターを備える移送手段を備えた仏壇家具部と、筺体を家具調とし上部に墓石部を配置し下部に納骨部を上下分割可能に配置した墓・納骨家具部とを、仏壇家具部の正面側が表出し、墓・納骨家具部の正面側が仏壇家具部の背面側に対向するように前後配置として壁面に設けた収納部に収納し、
前記前側の仏壇家具部を、移送手段を利用して収納部から引き出すことにより、後側の墓・納骨家具部の正面側を表出させるようにしたことを特徴とする供養家具。
【請求項６】
筺体を家具調とし、上部に仏壇部を配置し下部に仏具収納部を上下分割可能に配置した仏壇家具部と、
前記筺体を家具調とし上部に墓石部を配置し下部に納骨部を上下分割可能に配置した墓・納骨家具部と、
前記仏壇家具部、墓・納骨家具部の背面端部同士を連結する蝶番と、
を具備し、
前記仏壇家具部の正面側が表出し、前記墓・納骨家具部の正面側が最後端となるように表裏配置に壁面に設けた収納部に収納し、前記仏壇家具部、墓・納骨家具部を、収納部から引き出すとともに、前記蝶番を利用して前記仏壇家具部、墓・納骨家具部の各正面が横方向に並ぶ並列配置可能としたことを特徴とする供養家具。
【請求項７】
上部に仏壇部を配置し下部に仏具収納部を配置した仏壇家具部と、
上部に墓石部を配置し下部に納骨部を配置した墓・納骨家具部とを並列配置に構成したことを特徴とする供養家具。
【請求項８】
筺体を家具調とし、上部に仏壇部を配置し下部に仏具収納部を配置した直方体状の仏壇家具部と、
前記筺体を家具調とし、上部に墓石部を配置し下部に納骨部を配置した直方体状の墓・納骨家具部とを並列配置に構成したことを特徴とする供養家具。
【請求項９】
筺体を家具調とし、上部に仏壇部を配置し下部に仏具収納部を上下分割可能に配置した直方体状の仏壇家具部と、
前記筺体を家具調とし、上部に墓石部を配置し下部に納骨部を上下分割可能に配置した直方体状の墓・納骨家具部とを並列配置に構成するとともに、各々分割される前記仏壇部、仏具収納部、墓石部、納骨部の配置組み替えを可能としたことを特徴とする供養家具。
【請求項１０】
前記仏壇家具部及び墓・納骨家具部は、底部側にストッパー付キャスターを有する移送手段を備えたことを特徴とする請求項６乃至９のいずれかに記載の供養家具。
【請求項１１】
筺体を家具調とし、筺体内の上部に仏壇部を設け、下部に納骨部を設けた仏壇・納骨家具部と、
前記筺体を家具調とした仏具収納部との組み合せからなることを特徴とする供養家具。
【考案の詳細な説明】
【技術分野】
【０００１】
本考案は、遠距離の地に存在する墓地にわざわざ出かける必要もなく、また、高齢者であっても、室内において簡略に故人や祖先の位牌礼拝、墓参り等の供養を簡略に行うことができ、更に、部屋の壁面に設けた収納部に体裁よく収めることができる供養家具に関するものである。
【背景技術】
【０００２】
近年、墓地を取得しようとしても交通至便な近場の墓地は高価であり、手頃な価格の墓地は遠距離の地に存在し、このような遠距離の地に存在する墓地を取得しても高齢になると墓参も困難になることが多い。
【０００３】
すなわち、遠距離の墓地の場合、車を利用して墓参するにしても彼岸等の墓参りシーズンでは交通渋滞が激しく、高齢になると墓参も容易ではなく、また、平常時においても墓地の清掃等に出掛けること容易ではない。
【０００４】
このため、従来においても、故人や祖先の供養を室内で容易に実行できるようにするため、室内設置型の仏壇類が種々提案されている。
【０００５】
例えば、特許文献１には、箱型状の祭壇を前後に仕切り、前面側に位牌、仏具の収容部を、後面側に納骨箱、墓を各々収容するとともに、納骨箱の収容部を真空に保つ装置を設け、更に、祭壇全体を床面上に設置する台部上で水平方向に回転可能に構成した回転祭壇付真空納骨台が提案されている。
【０００６】
この特許文献１の場合、祭壇のみを台部上で水平方向に回転させるものであり、回転祭壇付真空納骨台全体を移送・反転させる構成ではなく、このため、例えばこの回転祭壇付真空納骨台全体を家屋の部屋の壁面に設けた収納部に体裁よく収めること難しい。
【０００７】
また、特許文献２には、箱型状の筺体を前後に区画し、前面側に本尊収納部を、背面側に墓碑収納部を各々設けた本体と、本体用の載置台とを有し、本体を載置台上で水平方向に回転可能とした構成の回転式仏壇が提案されている。
【０００８】
この特許文献２の場合も、本体を載置台上で水平方向に回転させる構成であるため、上述した場合と同様、例えばこの回転式仏壇全体を家屋の部屋の壁面に設けた収納部に体裁よく収めること難しい。
【先行技術文献】
【特許文献】
【０００９】
【特許文献１】特開２００１−１６９８９８号公報
【特許文献２】特開平１１−１３７４１３号公報
【考案の概要】
【考案が解決しようとする課題】
【００１０】
本考案が解決しようとする問題点は、遠距離の地に存在する墓地にわざわざ出かける必要もなく、また、高齢者であっても、室内において簡略に故人や祖先の位牌礼拝、墓参り等の供養を簡略に行うことができ、また、部屋の壁面に設けた収納部に体裁よく収めることができるような供養家具が存在しない点である。
【課題を解決するための手段】
【００１１】
本考案の供養家具は、上部に仏壇部を下部に仏具収納部を配置した仏壇家具部と、上部に墓石部を下部に納骨部を配置した墓・納骨家具部とを表裏一体構成とするとともに、前記仏壇家具部、墓・納骨家具部の底部側に移送手段を備え、前記移送手段を利用した前記仏壇家具部、墓・納骨家具部全体の壁面に設けた収納部に対する移動・反転によって、前記仏壇部又は前記墓石部のいずれかが正面に表出可能に構成したことを最も主要な特徴とする。
【考案の効果】
【００１２】
請求項１、２記載の考案によれば、室内における仏壇として機能し、また、お墓として機能し、遠距離の地に存在する墓地にわざわざ出かける必要もなく、また、高齢者であっても、室内において簡略に当該故人や祖先の位牌礼拝、墓参り等の供養を簡略に行うことができ、更に、部屋の壁面に設けた収納部に体裁よく収めることができる供養家具を実現し提供することができる。また、ストッパー付キャスターを備える移送手段を設けたことにより、地震等の振動に対しても安心な供養家具を実現し提供することができる。
【００１３】
請求項３、４記載の考案によれば、室内において、常時は上部に仏壇部を下部に仏具収納部を配置した仏壇家具部に対する礼拝により故人や祖先の供養をすることができ、また、仏壇家具部を引き出し墓・納骨家具部を表出させて墓参り供養を行うことができることに加え、部屋の壁面に設けた収納部に体裁よく収めることもでき、更にストッパー付キャスターを備える移送手段を設けたことにより、地震等の振動に対しても安心な供養家具を実現し提供することができる。
【００１４】
請求項５記載の考案によれば、請求項３、４記載の考案と同様な効果を奏するとともに、上下分割構造の採用により、収納部への設置の便宜、引っ越し時における移送の便宜を図ることができる供養家具を実現し提供することができる。
【００１５】
請求項６記載の考案によれば、収納部内の仏壇家具部に対する礼拝による供養と、室内における仏壇家具部、墓・納骨家具部の各正面が横方向に並ぶ並列配置の状態での仏壇家具部に対する礼拝及び墓・納骨家具部に対する礼拝による墓参り供養とを室内において随時選択的に実行することができ、また、上下分割構造の採用により、収納部への設置の便宜を図ることができる供養家具を実現し提供することができる。
【００１６】
請求項７、８記載の考案によれば、室内におけるお墓として、また、仏壇として機能し、遠距離の地に存在する墓地にわざわざ出かける必要もなく、また、高齢者であっても、室内において簡略に当該故人や祖先の墓参り供養、仏壇による供養を随時簡略に行うことができ、また、比較的広い
【００１７】
請求項９記載の考案によれば、請求項７、８記載の考案と同様な効果を奏することに加え、組み替えによって所有者の好みに応じた設置態様を選択できる供養家具を実現し提供することができる。
請求項１０記載の考案によれば、請求項６、７、８、９記載の考案と同様な効果を奏することに加え、組み替え時、更に、引っ越し時における移送の便宜を図ることができる供養家具を実現し提供することができる。
【００１８】
請求項１１記載の考案によれば、室内における小型の仏壇として、また恰もお墓として機能し、遠距離の地に存在する墓地にわざわざ出かける必要もなく、また、高齢者であっても、室内において簡略に当該故人や祖先の仏壇による供養、墓参り供養を簡略に行うことができ、更に、比較的狭い部屋に設置して好適な供養家具を実現し提供することができる。
【図面の簡単な説明】
【００１９】
【図１】図１は本考案の実施例１に係る供養家具の収容部に対する配置を示す説明図である。
【図２】図２は本実施例１に係る供養家具の仏壇家具部の正面図である。
【図３】図３は本実施例１に係る供養家具の墓・納骨家具部の正面図である。
【図４】図４は本実施例１に係る供養家具の概略横断面図である。
【図５】図５は本考案の実施例２に係る供養家具の収容部に対する配置及び引き出し状態を示す説明図である。
【図６】図６は本実施例２の変型例である供養家具の収容部に対する配置及び並列状態とする過程を示す説明図である。
【図７】図７は本考案の実施例３に係る並列配置の供養家具を示す説明図である。
【図８】図８は本実施例３に係る並列配置の供養家具の正面図である。
【図９】図９は本実施例３に係る並列配置の供養家具の正面を開口した状態の正面図である。
【図１０】図１０は本実施例３に係る並列配置の供養家具の概略横断面図である。
【図１１】図１１は本実施例３に係る供養家具における墓・納骨家具部の縦断面図である。
【図１２】図１２は本実施例３に係る供養家具における仏壇家具部の縦断面図である。
【図１３】図１３は本実施例３に係る供養家具における組み替え説明図である。
【図１４】図１４は本考案の実施例４に係る供養家具における仏壇・納骨家具部、仏具収納部を示す正面図である。
【考案を実施するための形態】
【００２０】
本考案は、遠距離の地に存在する墓地にわざわざ出かける必要もなく、また、高齢者であっても、室内において簡略に故人や祖先の位牌礼拝、墓参り等の供養を簡略に行うことができ、また、部屋の壁面に設けた収納部に体裁よく収めることができる供養家具を実現し提供するという目的を、筺体を家具調とし、上部に仏壇部を下部に仏具収納部を配置した直方体状の仏壇家具部と、上部に墓石部を下部に納骨部を配置した直方体状の墓・納骨家具部とを表裏一体構成とするとともに、前記仏壇家具部、墓・納骨家具部の底部側にストッパー付キャスターを備える移送手段を備え、前記移送手段を利用した前記仏壇家具部、墓・納骨家具部全体の壁面に設けた収納部に対する移動・反転によって、前記仏壇部又は前記墓石部のいずれかが正面に表出可能とした構成により実現した。
【実施例１】
【００２１】
以下に、本考案の実施例１に係る供養家具１について図面を参照して詳細に説明する。
本実施例１に係る供養家具１は、図１乃至図３に示すように、外部から視認される外周部を例えば黒色、茶色等の色調を呈する家具調とし、全体として直方体形状の箱型枠状で正面、裏面が開口する形状に形成した筺体２を具備し、この筺体２内に垂直方向に配置した区画板３を境として、正面側の上部に故人や祖先の位牌を設置する仏壇部１２を、その下部に花立、香炉、線香立て、蝋燭立て等の仏具を収納する仏具収納部１３を配置した仏壇家具部１１と、前記区画板３を境として、裏面側の上部に墓石（又は墓碑）を配置する墓石部２２を、その下部に故人や祖先の遺骨箱を収納する納骨部２３を配置した墓・納骨家具部２１と、を表裏一体に組み込んで構成している。
【００２２】
前記供養家具１の寸法例としては、高さ１７００ｍｍ、幅８００ｍｍ、奥行き８００ｍｍとする構成、高さ１３００ｍｍ、幅８００ｍｍ、奥行き８００ｍｍとする構成等を挙げることができる。
【００２３】
前記墓石部２２には、戒名等を刻んだ墓石、又は欅又は桧の無垢材に文字を彫り込んだ墓碑を配置するものであり、前記文字は、戒名の他、夢、眠、福、感謝、心等のような故人や祖先を偲ぶ文字とするものである。
【００２４】
前記納骨部２３の遺骨箱２８には骨壷を収納するが、この場合収納スペースを考慮して遺骨を粉末状とし小さな骨壷に収め、桐箱内に保管して遺骨箱２８とするものである。又は、喉仏を別にし粉末状の遺骨の上に置き、小さな骨壷に収め、桐箱内に保管して遺骨箱２８とするものである。
【００２５】
また、前記仏壇家具部１１及び墓・納骨家具部２１の各底部側に、すなわち、前記筺体２の底部側にストッパー付キャスター３２を備える移送手段３１を配置している。
なお、図１乃至図３に示す実施例の場合、前記仏壇家具部１１及び墓・納骨家具部２１への各底部側のストッパー付キャスター３２を備える移送手段３１を設けて構成しても良く、また、当該ストッパー付キャスター３２を備える移送手段３１を不要として構成しても良い。
【００２６】
そして、本実施例１に係る供養家具１は、図１に示すように、家屋の室内の壁面に設けた前記筺体２全体が挿入可能な直方体状空間を形成する収納部Ｓ内に、例えば前記仏壇家具部１１の正面が表出し、前記墓・納骨家具部２１の正面が収納部Ｓの最深部となる配置で収納するようにしている。
【００２７】
前記移送手段３１としては、前記筺体２の底部にストッパー付キャスター３２を取り付ける場合の他、前記筺体２の底部に相当する寸法の図示しない矩形状の載置板にストッパー付キャスター３２を取り付け、この載置板上に前記筺体２を載置する構成とすることもできる。
【００２８】
前記仏壇家具部１１の仏壇部１２は、図２、図４に示すように、公知のような構成で最深部壁面に金箔等を付着させた和紙１４ａを貼付けることにより形成した仏壇スペース１４内に位牌用の位牌載置台１５を配備し、その正面側を一対構成で外面側を家具調に造作したフラッパー式ドア１６により開閉するように構成している。
【００２９】
すなわち、前記フラッパー式ドア１６は、一対のドア体１７を、前記仏壇スペース１４の両側部にスライド収納可能であるとともに、これらを正面側に引き出して観音開き式に仏壇スペース１４の正面側を開閉可能な構成としている。
【００３０】
また、前記仏壇家具部１１の仏具収納部１３は、図２に示すように、内部に線香立てを具備し、蝋燭立て等の仏具を収納する高さ調整可能な仏具収納棚１８を具備するとともに、その正面を外面を家具調に造作した観音開き式の一対の開閉ドア１９により開閉可能としている。
【００３１】
前記墓・納骨家具部２１の墓石部２２は、図３、図４に示すように、公知のような構成の墓石設置スペース２４の中央部に、墓石（竿石）２５を配置している。
【００３２】
また、墓石部２２の正面は、例えば一対の開閉ドア２２Ａにより開閉するようにしている。
【００３３】
また、前記墓・納骨家具部２１の納骨部２３は、図３に示すように、内部に遺骨箱２８を収納する遺骨収納棚２９を備え、その正面を外面を家具調に造作した観音開き式の一対の開閉ドア３０により開閉可能としている。
【００３４】
次に、本実施例１に係る供養家具１の作用、効果について説明する。
【００３５】
本実施例１に係る供養家具１によれば、図１に示すように、前記収納部Ｓ内に前記仏壇家具部１１の仏壇部１２の正面が表出し、前記墓・納骨家具部２１の正面が最深部となるように配置することにより、この供養家具１を設置した家の家人はまず仏壇部１２に設置した位牌を礼拝し、当該故人や祖先の供養を行うことができる。
【００３６】
また、図１に示すように、前記移送手段３１を利用して前記仏壇家具部１１、墓・納骨家具部２１全体を前記収納部Ｓの前方に引き出すとともに移動・反転し、前記仏壇家具部１１の仏壇部１２の正面を前記収納部Ｓの最深部側に位置し、逆に前記墓・納骨家具部２１の墓石部２２を前記収納部Ｓの正面側に表出させるようにして前記収納部Ｓ内に収納することにより、家人は室内にて墓石部２２の墓石を礼拝し、当該故人や祖先の墓参り供養を行うことができる。
【００３７】
このようにして、本実施例１に係る供養家具１によれば、室内における仏壇として、また、お墓として機能し、遠距離の地に存在する墓地にわざわざ出かける必要もなく、また、高齢者であっても、室内において簡略に当該故人や祖先の位牌礼拝、墓参り等の供養を簡略に行うことができる。
【００３８】
また、本実施例１に係る供養家具１によれば、前記筺体２、前記仏壇家具部１１、墓・納骨家具部２１の外部から視認できる部分を家具調としているので、洋間  日本間を問わず、壁面に設けた前記収納部Ｓ内に殆ど隙間を生じさせることなく体裁よく収納することができる。
【００３９】
更に、本実施例１によれば、上述した構成とすることで、重厚感、荘厳感を醸し出すことができるとともに、宗派の如何を問わず故人や祖先の供養することが可能な供養家具１とすることができる。
【００４０】
更に加えて、前記移送手段３１をストッパー付キャスター３２により構成しているので、供養家具１全体の移動・反転が容易であるとともに、ストッパーにより供養家具１を定位置に固定でき地震等による振動でも動きにくいという利点がある。
【実施例２】
【００４１】
次に、図５を参照して本考案の実施例２に係る供養家具１Ａについて説明する。
なお、本実施例２の供養家具１Ａにおいて、実施例１の供養家具１の場合と同一の要素には同一の符号を付し、重複する説明は省略する。
【００４２】
本実施例２に係る供養家具１Ａは、図５に示すように、筺体部を家具調とし、上部に仏壇部１２を下部に仏具収納部１３を配置し、底部側にストッパー付キャスター３２を備える移送手段３１を備えた仏壇家具部１１と、筺体部を家具調とし上部に墓石部２２を下部に納骨部２３を配置した墓・納骨家具部２１とを、一体ではなく別体に構成している。
【００４３】
そして、前記仏壇家具部１１の正面側が表出し、前記墓・納骨家具部２１の正面側が仏壇家具部１１の背面側に対向するように前後配置として壁面に設けた収納部Ｓに収納する構成としたものである。
【００４４】
なお、前記墓・納骨家具部２１の底部側についてもストッパー付キャスター３２を備える移送手段３１を配置する構成とすることももちろん可能である。
【００４５】
本実施例２に係る供養家具１Ａによれば、収納部Ｓの前側に位置する仏壇家具部１１を移送手段３１を利用して収納部Ｓから前方に引き出し、収納部Ｓの開口部分から側方に移送することにより、収納部Ｓ内において墓・納骨家具部２１の正面を完全に表出させることができる。
【００４６】
このような本実施例２の供養家具１Ａによれば、必要に応じて仏壇家具部１１、墓・納骨家具部２１の双方を収納部Ｓ内に前後配置に納めた状態で室内における仏壇として機能させ、また、仏壇家具部１１を収納部Ｓから前方に引き出し、収納部Ｓの開口部分から側方に移送した状態で室内におけるお墓として機能させることができ、遠距離の地に存在する墓地にわざわざ出かける必要もなく、また、高齢者であっても、室内において簡略に当該故人や祖先の位牌礼拝、墓参り等の供養を簡略に行うことができる。
【００４７】
また、仏壇家具部１１における上部の仏壇部１２と下部の仏具収納部１３、墓・納骨家具部２１における上部の墓石部２２と、下部の納骨部２３とを各々上下分割可能とする構成とすることもでき、これにより、供養家具１Ａの収納部Ｓへの設置の便宜、引っ越し時における供養家具１Ａの移送の便宜を図ることができる。この他の効果は、実施例１の場合と同様である。
【００４８】
図６は本実施例２の供養家具１Ａの変型例である供養家具１Ｂを示すものであり、この供養家具１Ｂは、筺体部を家具調とし、上部に仏壇部１２を下部に仏具収納部１３を配置し、底部側にストッパー付キャスター３２を備える移送手段３１を備えた仏壇家具部１１と、筺体部を家具調とし上部に墓石部２２を下部に納骨部２３を配置し、底部側にストッパー付キャスター３２を備える移送手段３１を備えた墓・納骨家具部２１とを、別体に構成するとともに、前記仏壇家具部１１、墓・納骨家具部２１の一方の背面端部同士を連結する蝶番３３を備えている。更に前記仏壇家具部１１、墓・納骨家具部２１の一方の背面端部同士は、掛け止め具３４により係止又は分離可能にしている。
【００４９】
そして、前記仏壇家具部１の正面側が表出し、前記墓・納骨家具部２１の正面側が最後端となるように表裏配置に壁面に設けた収納部Ｓに収納し、前記仏壇家具部１１、墓・納骨家具部２１を移送手段３１を利用して図６に示すように収納部Ｓから引き出すとともに、掛け止め具３４を外した後前記蝶番３３を利用して墓・納骨家具部２１を仏壇家具部１１に対して展開移動し、更に前記仏壇家具部１１、墓・納骨家具部２１の各正面が横方向に並ぶ並列配置となるように構成したものである。
なお、図６に示す実施例の場合、前記仏壇家具部１１及び墓・納骨家具部２１への各底部側のストッパー付キャスター３２を備える移送手段３１は、これを必ず必要とするものではなく、当該ストッパー付キャスター３２を備える移送手段３１を不要な構成として実施しても良い。
【００５０】
このような変型例に係る供養家具１Ｂによれば、前記収納部Ｓ内に前記仏壇家具部１１、墓・納骨家具部２１を前後縦列配置に収納した状態での前記仏壇家具部１１に対する礼拝による供養と、前記仏壇家具部１１、墓・納骨家具部２１の各正面が横方向に並ぶ並列配置の状態での前記仏壇家具部１１に対する礼拝及び前記墓・納骨家具部２１に対する礼拝による墓参り供養とを室内において随時選択的に実行することができる。
【００５１】
また、上述した場合と同様、前記仏壇家具部１１における上部の仏壇部１２と下部の仏具収納部１３、墓・納骨家具部２１における上部の墓石部２２と、下部の納骨部２３とを各々上下分割可能とする構成とすることもでき、これにより、供養家具１Ｂの収納部Ｓへの設置の便宜、引っ越し時における供養家具１Ｂの移送の便宜を図ることができる。この他の効果は、実施例１の場合と同様である。
【実施例３】
【００５２】
次に、図７乃至図１３を参照して本考案の実施例３に係る供養家具１Ｃについて説明する。
なお、本実施例３の供養家具１Ｃにおいて、実施例１の供養家具１の場合と同一の要素には同一の符号を付し、重複する説明は省略する。
【００５３】
本実施例３に係る供養家具１Ｃは、例えば図７乃至図９に示すように、筺体２Ａを家具調とし、上部に仏壇部１２を下部に仏具収納部１３を配置した直方体状の仏壇家具部１１と、筺体２Ａを家具調とし、上部に墓石部２２を下部に納骨部２３を配置した直方体状の墓・納骨家具部２１とを、一体ではなく別体に構成し、室内の壁面に沿って前記墓・納骨家具部２１を向かって左側、前記仏壇家具部１１を向かって右側とする横方向並列配置に構成したものである。
なお、図７乃至図１３に示す実施例の場合、前記仏壇家具部１１及び墓・納骨家具部２１への各底部側のストッパー付キャスター３２を備える移送手段３１を設けて構成しても良く、また、当該ストッパー付キャスター３２を備える移送手段３１を不要として構成しても良い。
【００５４】
但し、本実施例３においては、前記墓石部２２の正面側を一対構成で外面側を家具調に造作したフラッパー式ドア２６により開閉するように構成している。
【００５５】
すなわち、前記フラッパー式ドア２６は、一対のドア体２７を、前記墓石設置スペース２４の両側部にスライド収納可能であるとともに、これらを正面側に引き出して観音開き式に墓石設置スペース２４の正面側を開閉可能な構成としている。
【００５６】
前記仏壇家具部１１及び前記墓・納骨家具部２１の寸法例としては、高さ１７００ｍｍ、幅８００ｍｍ、奥行き４００ｍｍとする構成、高さ１３００ｍｍ、幅８００ｍｍ、奥行き４００ｍｍとする構成等を挙げることができる。
【００５７】
なお、図８は、前記墓・納骨家具部２１のフラッパー式ドア２６及び開閉ドア３０、並びに、前記仏壇家具部１１のフラッパー式ドア１６及び開閉ドア１９を各々閉じた状態を示している。
【００５８】
また、図９は、前記墓・納骨家具部２１のフラッパー式ドア２６及び開閉ドア３０を開いた状態、並びに、前記仏壇家具部１１のフラッパー式ドア１６及び開閉ドア１９を開いた状態を各々概略的に示している。更に、図１０は、前記墓・納骨家具部２１、仏壇家具部１１の横断面を各々概略的に示している。
【００５９】
更にまた、図１１は前記墓・納骨家具部２１の縦断面を、図１２は前記仏壇家具部１１の縦断面を各々概略的に示している。
【００６０】
本実施例３に係る供養家具１Ｃは、上述したように、室内の壁面に沿って前記墓・納骨家具部２１を向かって左側、前記仏壇家具部１１を向かって右側とする横方向並列で、かつ、固定配置に構成したものであり、比較的広い部屋に設置して好適なものである。
【００６１】
そして、前記墓・納骨家具部２１に対する礼拝による故人や祖先の墓参り供養と、前記仏壇家具部１１に対する礼拝による故人や祖先の供養とを室内において随時実行することができる。
【００６２】
すなわち、本実施例３の供養家具１Ｃによれば、室内におけるお墓として、また、仏壇として機能し、遠距離の地に存在する墓地にわざわざ出かける必要もなく、また、高齢者であっても、室内において簡略に当該故人や祖先の墓参り供養、仏壇による供養を簡略に行うことができる。
【００６３】
本実施例３においても、前記仏壇家具部１１における上部の仏壇部１２と下部の仏具収納部１３、墓・納骨家具部２１における上部の墓石部２２と下部の納骨部２３とを各々図９に示すジョイント部を境とした上下分割可能な構成とすることも可能である。
【００６４】
このような構成とすることにより、供養家具１Ｃの引っ越し時における移送の便宜を図ることができる。
【００６５】
更には、上述した構成とすることにより、図１３に示すように、前記供養家具１Ｃにおける仏壇部１２と納骨部２３とを上下配置に、前記墓石部２２と仏具収納部１３とを上下配置に組み替え、これらを並列配置とした供養家具１Ｄを構成することもでき、前記供養家具１Ｃの所有者の好みに応じた設置態様を選択できるという効果を奏する。この他の効果は、実施例１の場合と同様である。
【実施例４】
【００６６】
次に、図１４を参照して本考案の実施例４に係る供養家具１Ｅについて説明する。なお、本実施例３の供養家具１Ｃにおいて、実施例１の供養家具１の場合と同一の要素には同一の符号を付し、重複する説明は省略する。
【００６７】
本実施例４に係る供養家具１Ｅは、図１４に示すように、筺体２Ｂを家具調とし、この筺体２Ｂ内の上部に小型化した仏壇部１２Ａを、下部に小型化し、遺骨箱２８を収納する納骨部２３Ａを設けた仏壇・納骨家具部４１と、筺体２Ｂを家具調とした仏具収納部４２との上下配置の組み合せからなるものである。
なお、図１４に示す実施例の場合、前記仏壇家具部１１及び墓・納骨家具部２１への各底部側のストッパー付キャスター３２を備える移送手段３１を設けて構成しても良く、また、当該ストッパー付キャスター３２を備える移送手段３１を不要として構成しても良い。
【００６８】
前記仏壇・納骨家具部４１の寸法例としては、高さ９００ｍｍ、幅８００ｍｍ、奥行き４００ｍｍとする構成等を挙げることができる。
【００６９】
本実施例４に係る供養家具１Ｅによれば、仏壇・納骨家具部４１内の上部に小型化した仏壇部１２Ａを、下部に遺骨箱２８を収納する小型化した納骨部２３Ａを有するものであるから、室内におけるコンパクトな仏壇として、また恰もお墓として機能し、遠距離の地に存在する墓地にわざわざ出かける必要もなく、また、高齢者であっても、室内において簡略に当該故人や祖先の仏壇による供養、墓参り供養を簡略に行うことができる。
【００７０】
また、本実施例４に係る供養家具１Ｅによれば、全体としてコンパクト化されているため、比較的狭い部屋に設置して好適であるという利点もある。
【００７１】
更に、前記仏壇・納骨家具部４１のみを室内に設置するだけでも、室内における小型の仏壇として、また恰もお墓として機能し、遠距離の地に存在する墓地にわざわざ出かける必要もなく、また、高齢者であっても、室内において簡略に当該故人や祖先の仏壇による供養、墓参り供養を簡略に行うことができる。
【００７２】
なお、上述した各実施例の供養家具において、照明器具を組み込んだ構成とすることももちろん可能であり、また、各実施例の供養家具を構成する木製素材としては、黒檀、紫檀、欅等の無垢材、更には低価格を図るための集成材等を挙げることができる。
【産業上の利用可能性】
【００７３】
本考案は、故人や祖先の供養のための供養家具として適用する場合の他、例えば愛玩していた犬や猫等のペットが亡くなった場合の供養家具としても好適に適用できる。
【符号の説明】
【００７４】
１    供養家具
１Ａ  供養家具
１Ｂ  供養家具
１Ｃ  供養家具
１Ｄ  供養家具
１Ｅ  供養家具
２    筺体
２Ａ  筺体
２Ｂ  筺体
３    区画板
１１    仏壇家具部
１２    仏壇部
１２Ａ  仏壇部
１３    仏具収納部
１４    仏壇スペース
１４ａ  和紙
１５    位牌載置台
１６    フラッパー式ドア
１７    ドア体
１８    仏具収納棚
１９    開閉ドア
２１    墓・納骨家具部
２２    墓石部
２２Ａ  開閉ドア
２３    納骨部
２３Ａ  納骨部
２４    墓石設置スペース
２６    フラッパー式ドア
２７    ドア体
２８    遺骨箱
２９    遺骨収納棚
３０    開閉ドア
３１    移送手段
３２    ストッパー付キャスター
３３    蝶番
３４    掛け止め具
４１    仏壇・納骨家具部
４２    仏具収納部
Ｓ    収納部
【図１】
0003154558.tif 000003
【図２】
0003154558.tif 000004
【図３】
0003154558.tif 000005
【図４】
0003154558.tif 000006
【図５】
0003154558.tif 000007
【図６】
0003154558.tif 000008
【図７】
0003154558.tif 000009
【図８】
0003154558.tif 000010
【図９】
0003154558.tif 000011
【図１０】
0003154558.tif 000012
【図１１】
0003154558.tif 000013
【図１２】
0003154558.tif 000014
【図１３】
0003154558.tif 000015
【図１４】
0003154558.tif 000016